(57)【要約】      （修正有）【課題】止めピン、ホチキス等の固定手段を用いないでも靴下類を保持することができ、また靴下を外す時に靴下類の素地や手を傷付けてしまうようなことを回避でき、また固定手段による固定やミシン掛けによる固定等を不要にしてこれに伴う労力及び時間を省略することを可能にするのみならずピン止め、ホチキス止め、縫い合わせ等の用材及び手数を省略することを可能にする小衣料品の陳列用吊下げ具を提供する。【解決手段】上部に吊下部を有し下部に横長の通し孔を設けて形成した横竿状部を有する吊下具本体と、横竿状部に掛け下げた靴下類等小衣料品を吊下具本体の下部に対応する位置において囲み止める帯封とを別部材として備え、これら吊下具本体、帯封には相互に係合して該帯封の落下及び位置ズレを阻止する係合部を設け、この係合部は、吊下具本体の下部の左右両端に突設した挿止め用突片と帯封に設けた挿止め用孔とから成る。【選択図】図２
0003113055.tif 000002
【実用新案登録請求の範囲】
【請求項１】
上部に吊下部を有し下部に横長の通し孔を設けて形成した横竿状部を有する吊下具本体と、該横竿状部に掛け下げた靴下類等小衣料品を吊下具本体の下部に対応する位置において囲み止める帯封とを別部材として備え、これら吊下具本体、帯封には相互に係合して該帯封の落下及び位置ズレを阻止する係合部を設けたことを特徴とする靴下類等小衣料品の陳列用吊下具。
【請求項２】
係合部は、吊下具本体の下部の左右両端に突設した挿止め用突片と帯封に設けた挿止め用孔とから成ることを特徴とする請求項１記載の靴下類等小衣料品の陳列用吊下具。
【請求項３】
帯封は、その両端部が吊下具本体の後ろ側で重なり合う長さにし、該両端部には相互に係合して該重なり合い状態を維持する維持部を設けたことを特徴とする請求項１又は２記載の靴下類等小衣料品の陳列用吊下具。
【請求項４】
帯封は、長手方向の途中個所に手指で切り取り可能な切離し部を有することを特徴とする請求項１、２又は３記載の靴下類等小衣料品の陳列用吊下具。
【請求項５】
帯封は、その前面部が通し孔の前面を遮蔽する大きさにした不透明部から成ることを特徴とする請求項１〜４いずれか一つの請求項記載の靴下類等小衣料品の陳列用吊下具。
【考案の詳細な説明】
【技術分野】
【０００１】
本考案は、ソックス、ストッキング等の靴下類、ハンカチ、トランクス等下着などの小衣料品を吊下げて陳列販売するための靴下類等小衣料品の陳列用吊下具に関する。
【背景技術】
【０００２】
一般に、靴下等小衣料品を吊下げて陳列販売する形態としては、上部に吊下げ孔や吊下げ吊下部を設けた二つ折り形式の吊下げ兼用封紙を止めピン、針金、ホチキス又は縫い糸を用いて靴下類等小衣料品に固定する特許文献１〜３に示すような形態（以下、第１従来例という）、また上記のようにした吊下げ兼用封紙に帯封を一体に設けて上記の止めピン、針金、ホチキス又は縫い糸等の使用を避けるようにした特許文献２〜５に示すような形態（以下、第２従来例という）、また帯封を別体とし、該帯封を止めピン、針金、ホチキス又は縫い糸等を用いて固定する形態（以下、第３従来例という）が知られている。
【０００３】
しかしながら、上記第１従来例及び第３従来例にあっては、消費者が止めピン、ホチキス針、縫い糸等を取り外す場合、該止めピン、ホチキス針、縫い針等により靴下類の素地あるいは使用者の手指に傷を付け易いという問題があった。一方、生産工場にとって、ピン止め工程、ホチキス止め若しくは縫い止め工程は、設備、労力及び時間が要することから、非能率的で不経済な工程ともなっていた。また、止めピン、ホチキス針の使用は、これら止めピン、ホチキス針が金属製で分別廃棄の問題の対象になっていて、好ましくないという問題があった。
【０００４】
また、上記第２従来例にあっては、止めピン、針金、ホチキス又は縫い糸等の使用を避けることで、上記第１従来例及び第２従来例が有しているような問題点を解消できるが、帯封がズレ落ちてしまう懸念を解消する必要から、商品をやや締め加減にして商品のイメージ特に形を歪めざるを得ない問題、また、吊下げ荷重がかかる吊下げ兼用封紙を厚くて丈夫な素材にしたい場合や、吊下げ兼用封紙と帯封とを異なる材料にしたい場合等に向いていないという問題があった。また、この第２従来例は、上記帯封のズレ落ちをより完全な状態にするために該帯封を接着テープにより靴下類に直に貼り付けて使用することも少なくなかった。このように使用された場合には、帯体を外すために該接着テープを剥がす必要があるが、該接着テープの剥がし操作に伴って細かい繊維が一緒に抜けたり、毛羽立ちが生じたり、ときには製品にキズができたりするというような問題が生じていた。
【０００５】
【特許文献１】特許第２５８９６６５号
【特許文献２】実開平５−７６８４号
【特許文献３】登録実用第３０３８１３１号公報
【特許文献４】登録実用第３０８１８６６号
【特許文献５】特許第３５７１６６５号
【考案の開示】
【考案が解決しようとする課題】
【０００６】
本考案の目的とするところは、上記したような諸問題を解消する新規の靴下類等小衣料品の陳列用吊下具を提供することにある。すなわち、靴下類等小衣料品の保持固定が容易にでき、且つ止めピン、ホチキス、糸、接着テープ等を使用しない靴下類等小衣料品の陳列用吊下具を提供し、よって上記したような諸問題を一挙に解決することを目的とする。
【課題を解決するための手段】
【０００７】
本考案は、上記の目的を達成するために、請求項１に係る靴下類等小衣料品の陳列用吊下具にあっては、上部に吊下部を有し下部に横長の通し孔を設けて形成した横竿状部を有する吊下具本体と、該横竿状部に掛け下げられた靴下類等小衣料品を吊下具本体の下部に対応する位置において囲み止める帯封とを別部材として備え、これら吊下具本体、帯封には相互に係合して該帯封の落下及び位置ズレを阻止する係合部を設けたことを特徴とする。
【０００８】
したがって、請求項１に係る靴下類等小衣料品の陳列用吊下具は、紙材若しくは薄いプラスチック材のような単なる所定厚みの薄板に抜出し加工を施すことにより容易に低コストで構成することを可能にするのみならず吊下具本体と帯封とを異なる厚さ、異なる材質の素材により構成することを可能にするものであり、さらに吊下げ荷重を諸に受ける吊下具本体の方を厚くて丈夫な紙材製とし、帯封を扱いやすい薄手の紙材にするような構成を可能にするものである。
【０００９】
また、生産者は、靴下類等小衣料品を通し孔に挿し込んでから二つ折り状態にすることにより該靴下類等小衣料品を横竿状部に掛け下げて形を整えた後、該靴下類等小衣料品における吊下具本体の下部に対応する位置を帯封により囲み止めて該靴下類等小衣料品を吊下げ陳列可能な状態にすればよく、従来のような止めピンや、ホチキス、糸で止める等の作業を省略できる。つまり、本考案によれば、止めピン、ホチキス、糸等を使用しない、低コストで安全な靴下類等小衣料品の陳列用吊下具を容易に提供できる。
【００１０】
なお、帯封による囲み止め後の靴下類等小衣料品は、これを透明フィルム製包装袋に収容すると共に吊下部を予め同包装袋の上部に設けてある貫出孔から外の出し、この状態で同包装袋の糊付き蓋を接着して包装を完了するようにしてもよい。なお、このようにした場合には、帯封が、靴下類等小衣料品における吊下具本体の下部に対応する位置を全周囲から軽く押さえて上記整えた形の状態を保持することになるので、結果として、靴下類等小衣料品の整えた形の状態は、該包装袋と帯封とによる二重押さえの状態により保持される。この二重の保持状態は、包装袋の横幅寸法と帯封の横幅長さが微妙に関係するので、吟味する必要がある。
【００１１】
すなわち、包装袋は、靴下類等小衣料品が該包装袋の上部と左右両側部と下部にやや圧迫気味に内接するサイズに形成することが重要である。このように構成した包装袋によれば、内部でのズレも形崩れを完全に防止でき、極めて体裁が良い包装ができる。
【００１２】
請求項２に係る靴下類等小衣料品の陳列用吊下具にあっては、係合部は、吊下具本体の下部の左右両端に突設した挿止め用突片と帯封に設けた挿止め用孔から成ることを特徴とする。
【００１３】
したがって、吊下具本体には挿止め用突片を一体に構成することが可能になり、該挿止め用突片及び帯封は、紙材若しくは薄いプラスチック材のような単なる所定厚みの板に抜出し加工を施すことにより量産ができる。
【００１４】
請求項３に係る靴下類等小衣料品の陳列用吊下具にあっては、帯封はその両端部が吊下具本体の後ろ側で重なり合う長さにし、該両端部には相互に係合して該重なり合い状態を維持する維持部を設けたことを特徴とする。
【００１５】
したがって、請求項３に係る靴下類等小衣料品の陳列用吊下具の帯封によれば、製造者は、吊下具本体の横竿状部に掛け下げた靴下類等小衣料品を囲み止める作業が容易になり、生産性を上げることができる。
【００１６】
請求項４に係る靴下類等小衣料品の陳列用吊下具にあっては、帯封は長手方向の途中個所に手指で切り取り可能な切離し部を設けたことを特徴とする。
【００１７】
したがって、購入者は、手指により切離し部を切り取って帯封を簡単に除去できる。
【００１８】
請求項５に係る靴下類等小衣料品の陳列用吊下具にあっては、帯封は、その前面部が通し孔の前面を遮蔽する大きさにした不透明部から成ることを特徴とする。
【００１９】
したがって、陳列状態時には、通し孔に通して横竿状部に掛け下げた靴下等の折り曲げ部分及び通し孔が、陳列した靴下の前を通過するだけの人や触れずに見るだけの人には見え難くなり、陳列時における体裁の良さの確保ができ、しかも広いコマーシャルスペースの確保ができる。
【考案の効果】
【００２０】
本考案によれば、止めピン、ホチキス等の固定手段を必要とせず、また靴下を取り出す時には、靴下類の素地あるいは手を傷付けることもなく、またその包装時には、上記固定手段の固定あるいはミシン掛け等を必要としないので、労力及び時間を省略することができる利益があるのみならず止めピン又はホチキス止め、縫い合わせ等の材料及び手数を省略することができる。さらに、陳列時における体裁の良さの確保及び広いコマーシャルスペースの確保ができる。したがって、上記の諸問題を解消する新規の靴下類等小衣料品の陳列用吊下具を提供するという初期の目的を完全に達成できる。
【考案を実施するための最良の形態】
【００２１】
以下、本考案の実施の形態に係る靴下類等小衣料品の陳列用吊下具１を図面に基づいて詳述する。なお、この実施の態様は、吊下具本体とこれとは別個の帯体からなる靴下用である。図１は全体を示す分解斜視図であり、図２は全体を使用状態で示す正面図であり、図３は同じく背面図であり、図４は図２Ａ−Ａ線に沿う断面図であり、図５は図２Ｂ−Ｂ線に沿う断面図であり、図６は図２Ｃ−Ｃ線に沿う拡大断面図である。
【００２２】
この実施の形態に係る靴下類等小衣料品の陳列用吊下具１は、上部２には引掛け鉤形状の吊下部３を有し下部４には横長の通し孔５を設けることで形成した横竿状部６を有する吊下具本体７と、該横竿状部６に掛け下げた靴下８を吊下具本体７の下部に対応する位置で囲み止める帯封９とにより構成し、上記吊下具本体７及び帯封９には相互に係合して該帯封９の落下及び位置ズレを阻止する左右の挿止め用突片１０、１１及び左右の挿止め用孔１２、１３を設けてある。なお、吊下部３は、引掛け孔でも良い。
【００２３】
上記吊下具本体７は、硬い厚紙材から抜出し加工により構成してあり、その左右両端には挿止め用突片１０、１１を一体に設けて低コストにしてあり、また帯封９は扱い易い薄手の厚紙材から抜出し加工により構成してある。また、これら吊下具本体７、帯封９は、プラスチック材で構成することができ、好ましくは地球にやさしい生分解性プラスチック材で構成できる。
【００２４】
上記通し孔５は、靴下８を通し易くするために一方端側を広く、また遊びズレないようにするために他方端側を狭くした三角形にしてある。なお、本考案は、上記通し孔５の縁を切り離し状態にして、該通し孔５に対する靴下８の通し作業を容易にする導入口を設けて実施することができる。この場合、横竿状部６の強度を充分に確保する必要があることはいうまでもない。
【００２５】
上記他方端側を狭くした三角形の通し孔５は、これに靴下８を吊下げた場合、図６に示すように該三角形通し孔５の上辺縁が該靴下８の二つ折れ個所に所謂食い込んで該上辺縁の両側に膨出部３５を形成することになるので、結果として靴下のズリ落ちをより確実に阻止することができる。なお、膨出部３５を形成しない構成にして実施することは自由である。
【００２６】
上記帯封９は、符号１５で示す前面部と、符号１６で示す背面部と、符号１７、１８で示す重なり合い部から形成してある。そして背面部１６は、前面部１５の左端縁に左側折曲げ線１９を介して延設し、また、一方の重なり合い部１７は前面部１５の右端縁に右側折曲げ線２０を介して延設し、他方の重なり合い部１８は背面部１６の遊端側部分が果たす形式にしてある。
【００２７】
また、上記左右の挿止め用孔１２、１３は、上記左・右側折曲げ線１９、２０を縦中心線とする円形孔を切ることにより設けてある。これら左右の挿止め用孔１２、１３は円形孔に拘るものではなく、縦長のスリット、その他の形でもよいことはいうまでもない。
【００２８】
さらに、上記一方の重なり合い部１７の先端縁と上記他方の重なり合い部１８の基端部には、挿込み片２１及び切線２２を設けてその挿込み位置決め状態を接着テープ２３で止めることにより上記重なり合い状態を維持する維持部２４を設けてある。この維持部２４は、重なり合い状態を保持する維持部として機能すればよいものであるので、他の構成であってもよく、例えば単に接着テープで貼り止める方式、一方の重なり合い部１７の上辺縁と他方の重なり合い部１８の下辺縁に縦向きの深い切込を設けて卍型に絡む係合方式、一方の重なり合い部１７にコの字の切線を設けて逆向き爪片を設けて該逆向き爪片を他方の重なり合い部１８に設けたスリット孔に掛け止める係合方式、その他の係合方式例えば一対の反対向き鉤型部を連結する係合方式等であってもよい。
【００２９】
また、上記帯封９の背面部１６には、手指で引裂き可能な切離し部２６を設けてある。この切離し部２６は、縦向き部２７と傾斜向き部２８からなる多数個の小刻み切線２９を縦配列に設けることにより形成した一対の切取り線３０，３１を付して設けたものであり、該一対の切取り線３０，３１間に挟まれた部分３２を切除して帯封９を切り外すようにしたものである。なお、図中符号３３は摘み片を示す。なお、切取り線３０，３１は、ミシン目状切取り線で実施することができる。
【００３０】
さらに、帯封９の前面部１５は、上記通し孔５の前方を遮蔽する大きさにしてある。したがって、陳列状態時には、該通し孔５に通して横竿状部６に掛け下げた靴下８の折り曲げ部分３４及び通し孔５を隠蔽することできる。すなわち、陳列した靴下の前を通過する人や、触らずに見るだけの人には見え難くなり、陳列時における体裁の良さの確保には有効であるのみならず広いコマーシャルスペースの確保ができる。しかも、上記したように通し孔５の一部（若しくは全体）をより大きくして靴下の通し作業の容易化を望む場合には、上記前面部１５をより広くし且つ通し孔５を大きくすることで該通し作業の容易化ができる。
【図面の簡単な説明】
【００３１】
【図１】全体を示す分解斜視図である。
【図２】全体を使用状態で示す正面図である。
【図３】同じく背面図である。
【図４】図２Ａ−Ａ線に沿う断面図である。
【図５】図２Ｂ−Ｂ線に沿う断面図である。
【図６】図２Ｃ−Ｃ線に沿う拡大断面図である。
【符号の説明】
【００３２】
１  実施の形態に係る靴下類等小衣料品の陳列用吊下具
２  上部
３  吊下部
４  下部
５  通し孔
６  横竿状部
７  吊下具本体
８  靴下
９  帯封
１０  左側の挿止め用突部
１１  右側の挿止め用突部
１２  左側の挿止め用孔
１３  右側の挿止め用孔
１５  前面部
１６  背面部
１７  一方の重なり合い部
１８  他方の重なり合い部
１９  左側折曲げ線
２０  右側折曲げ線
２１  挿込み片
２２  切線
２３  接着テープ
２４  維持部
２６  切離し部
２７  縦向き部
２８  傾斜向き部
２９  小刻み切線
３０、３１  切取り線
３２  挟まれた部分
３３  摘み片
３４  折り曲げ部分
３５  膨出部
【図１】
0003113055.tif 000003
【図２】
0003113055.tif 000004
【図３】
0003113055.tif 000005
【図４】
0003113055.tif 000006
【図５】
0003113055.tif 000007
【図６】
0003113055.tif 000008